(57)【要約】【課題】  作業者の腰ベルト等への着脱を容易に行うことができるフックを備えた電気機器を提供することである。【解決手段】  ハウジングは、フックが取り付けられるフック取付部と、フックと対向する対向面と、対向面に設けられ、フック側に突出する突起部と、を有し、フックは、対向面に対向するフック本体と、フック本体の一端側に設けられ、フック取付部に固定される後端部と、後端部とフック本体とを連結し、後端部がフック本体と対向するようにフック本体に対して折り返して連結する後方連結部と、フック本体の他端側に設けられ、対後面に対して離間及び近接可能な先端部と、先端部と前記フック本体とを連結し、先端部がフック本体と対向するように前記フック本体に対して折り返して連結する前方連結部と、を有する金属製フックであり、突起部と先端部は隣接して配置される。【選択図】  図１
2016157783.tif 000002
【特許請求の範囲】
【請求項１】
外枠をなすハウジングと、
前記ハウジングに設けられたフックと、
を備えた電気機器であって、
前記ハウジングは、
前記フックが取り付けられるフック取付部と、
前記フックと対向する対向面と、
前記対向面に設けられ、前記フック側に突出する突起部と、を有し、
前記フックは、
前記対向面に対向するフック本体と、
前記フック本体の一端側に設けられ、前記フック取付部に固定される後端部と、
前記後端部と前記フック本体とを連結し、前記後端部が前記フック本体と対向するように前記フック本体に対して折り返して連結する後方連結部と、
前記フック本体の他端側に設けられ、前記対後面に対して離間及び近接可能な先端部と、
前記先端部と前記フック本体とを連結し、前記先端部が前記フック本体と対向するように前記フック本体に対して折り返して連結する前方連結部と、を有する金属製フックであり、
前記突起部と前記先端部は隣接して配置されることを特徴とする電気機器。
【請求項２】
前記フックの前記先端部は、前記突起部よりも反後端部側の前記上面に接触していることを特徴とする請求項１に記載の電気機器。
【請求項３】
前記フックを前記フック取付部に取り付けた状態において、前記前方連結部は前記ハウジングの端面よりも外側に突出するように構成されていることを特徴とする請求項１又は２に記載の電気機器。
【請求項４】
前記前方連結部は、前記フック本体の端部から前記先端部に向かうに従い、前記ハウジング側に傾斜する傾斜部を有することを特徴とする請求項３に記載の電気機器。
【請求項５】
前記傾斜部は、作業者が指を引っ掛ける引っ掛け部として機能すると共に幅方向に亘って斜面が形成されることを特徴とする請求項４に記載の電気機器。
【請求項６】
前記フック本体は、厚さ方向に貫通する貫通穴を有することを特徴とする請求項５に記載の電気機器。
【請求項７】
前記フック本体は、前記後方連結部から前記前方連結部側に向かうに従い、幅方向の寸法が小さくなるよう構成されていることを特徴とする請求項６に記載の電気機器。
【請求項８】
前記ハウジングにはストラップが取り付け可能となっており、
前記後方連結部は前記ストラップが挿入される挿入穴を有することを特徴とする請求項７に記載の電気機器。
【請求項９】
前記ハウジングは、
電池パックが装着される電池パック装着部と、
作業者の腰ベルトに取り付けた状態で上側を向く前記ハウジングの後面に設けられ、前記電気機器の電源のオン及びオフを切り替える操作表示部と、
を備えたことを特徴とする請求項１乃至８のいずれか一項に記載の電気機器。
【請求項１０】
前記操作表示部は、前記電池パックの残容量を表示する残容量表示部を備えることを特徴とする請求項９に記載の電気機器。
【請求項１１】
作業者の腰ベルトに取り付けた状態で下側を向く前記ハウジングの前面に設けられ、前記電池パックからの電力が供給される出力部を更に備えたことを特徴とする請求項９又は１０に記載の電気機器。
【請求項１２】
前記フックの前記傾斜部は、前記ハウジングの前記前面よりも前方に突出していることを特徴とする請求項１１に記載の電気機器。
【請求項１３】
前記フック取付部には、前記フックの前記後端部が固定される一方、前記フックの前記後方連結部は固定されないことを特徴とする請求項１乃至１２のいずれか一項に記載の電気機器。
【発明の詳細な説明】
【技術分野】
【０００１】
本発明は、作業者の腰ベルト等に引っ掛けるフックを備えた電気機器に関する。
【背景技術】
【０００２】
作業者の腰ベルトに引っ掛けるフックを備えた電動工具用電池アダプタが特許文献１に記載されている。フックは本体（電池アダプタ）と一体に樹脂で構成されており、フックの先端部は本体から離れる方向に湾曲している。また、フックの先端側の本体部分には、抜け止め用の突起が設けられている。
【先行技術文献】
【特許文献】
【０００３】
【特許文献１】特開２０１２−０３６５２７号公報
【発明の概要】
【発明が解決しようとする課題】
【０００４】
このフックは、フック先端部が開放されているため腰ベルトへ引っ掛け易い反面、抜け止めが突起のみであるため、作業中に腰ベルトから不意に外れ易い構成となっていた。
【０００５】
そこで、フックの先端部を本体側にＵ字状に折り曲げる構成とすれば、フック先端部と突起及び本体によって腰ベルトが挿入される閉空間が形成されるため、フックが腰ベルトから不意に外れてしまうことを防止することができる。
【０００６】
しかしながら、単純なＵ字状のフックでは、フックが腰ベルトから不意に外れ難くすることができる反面、フックを腰ベルトから意図的に取り外す際に外し難い構成となってしまう。
【０００７】
また、いずれの構成でも、フックと本体が樹脂で一体に形成されているため、長年使用しているとフックの根元部分（本体との連結部分）に負担がかかり破損してしまう可能性があった。強度を保つには根元部分の肉厚を厚くする必要があるため、重くなり大型化してしまう問題があった。
【０００８】
そこで、本発明の目的は、作業者の腰ベルト等への着脱を容易に行うことができるフックを備えた電気機器を提供することである。
【０００９】
また、本発明の別の目的は、破損し難くコンパクトなフックを備えた電気機器を提供することである。
【００１０】
また、本発明の別の目的は、操作性がよいフックを備えた電気機器を提供することである。
【課題を解決するための手段】
【００１１】
本発明は、外枠をなすハウジングと、前記ハウジングに設けられたフックと、を備えた電気機器であって、前記ハウジングは、前記フックが取り付けられるフック取付部と、前記フックと対向する対向面と、前記対向面に設けられ、前記フック側に突出する突起部と、を有し、前記フックは、前記対向面に対向するフック本体と、前記フック本体の一端側に設けられ、前記フック取付部に固定される後端部と、前記後端部と前記フック本体とを連結し、前記後端部が前記フック本体と対向するように前記フック本体に対して折り返して連結する後方連結部と、前記フック本体の他端側に設けられ、前記対後面に対して離間及び近接可能な先端部と、前記先端部と前記フック本体とを連結し、前記先端部が前記フック本体と対向するように前記フック本体に対して折り返して連結する前方連結部と、を有する金属製フックであり、前記突起部と前記先端部は隣接して配置されることを特徴とする。
【発明の効果】
【００１２】
本発明によれば、作業者の腰ベルト等への着脱を容易に行うことができる電気機器を提供することができる。また、本発明によれば、破損し難くコンパクトな電気機器を提供することができる。また、本発明によれば、操作性がよい電気機器を提供することができる。
【図面の簡単な説明】
【００１３】
【図１】本発明となる電気機器である電池アダプタを示す前方斜視図である。
【図２】本発明となる電気機器である電池アダプタを示す下方斜視図である。
【図３】本発明となる電気機器である電池アダプタに電池パックを装着した状態を示す前方斜視図である。
【図４】本発明となる電気機器である電池アダプタに電池パックを装着した状態を示す側面図である。
【図５】本発明となる電気機器である電池アダプタに電池パック及びストラップを接続した状態を側方斜視図である。
【図６】本発明となる電気機器である電池アダプタの前方展開斜視図である。
【図７】本発明となる電気機器である電池アダプタの後方展開斜視図である。
【図８】本発明となるフックを示す図である。
【図９】本発明となるフック及び電池アダプタの一部断面図である。
【図１０】図４のＡ−Ａ断面図である。
【図１１】本発明となる電気機器である電池アダプタの使用状態を示す図である。
【図１２】本発明となる電気機器である電池アダプタの使用状態を示す図である。
【図１３】本発明となる電気機器である電池アダプタの使用状態を示す図である。
【図１４】本発明となる電気機器である電動工具を示し、フックを取り付ける前の状態図である。
【図１５】本発明となる電気機器である電動工具を示し、フックを取り付けた後の状態図である。
【発明を実施するための形態】
【００１４】
本発明の実施の形態について、以下図１〜図１３を用いて、本発明である電気機器としての電池アダプタにフックを取り付けた場合を例に説明する。
【００１５】
初めに、電池アダプタ１の外部構造を図１〜５を用いて説明する。電池アダプタ１は、外枠となる樹脂製のハウジング１０、フック２、操作表示部３、第１出力部４、第２出力部５を主に備えている。ハウジング１０は本体を成し、その下側に電池パック６を着脱可能に装着する電池装着部１１と、その上側にフック２を装着するフック装着部１２とが一体的に構成されている。また、ハウジング１０の上面１０ｃ（フック２が取り付けられている側の面であって、フック本体と対向する対向面）には外側（フック２側）に突出する突起部１３が設けられている。なお、電池パック６は電動工具で使用される電動工具用電池パックであり、電池アダプタ１は当該電動工具用電池パックを装着して使用される。
【００１６】
電池装着部１１はハウジング１０の下側に形成されており、電池パック６を着脱する際に電池パック６の不図示のレール部を受けて電池パック６のスライド動作を案内するレール受部１４と、電池装着部１１から電池パック６が不意に外れないよう電池パック６の不図示のラッチと係合する係合部１５と、電池パック６の不図示の端子と接続する端子部１６が設けられる端子ブロック１７とを備えている。なお、電池パック６は電池装着部１１に対して図４の左右方向にスライドすることで着脱可能である。ここで、図４において、電池パック６のスライド方向を前後方向とし、図中右側を前方、左側を後方、上側を上方、下側を下方とする。また、図４の奥側を左側、手前側を右側とする。
【００１７】
フック装着部１２はハウジング１０の上側後部に形成されており、フック２を装着（固定）する。また、フック装着部１２にはストラップ１８も取り付け可能であり（図５参照）、ストラップ１８によって電池アダプタ１を単管等に引っ掛けることができるようになっている。フック装着部１２の構造は後述する。
【００１８】
操作表示部３は、図１に示すように、電池アダプタ１の電源をオン又はオフするために作業者に操作される電源スイッチ部３０と、電源スイッチ部３０が操作されて電池アダプタ１の電源がオンされた際に点灯し、オフされた際に消灯する電源表示部３１と、電池装着部１１に装着された電池パック６の残容量を表示する残容量表示部３２と、残容量表示部３２に残容量を表示するために作業者に操作される残容量スイッチ部３３とを備えている。操作表示部３は電池アダプタ１（ハウジング１０）の後面１０ｆに設けられており、図４に示すように、後面１０ｆは上方（フック装着部１２側）に向かうに従い前方に傾斜している。
【００１９】
第１出力部４は、図３に示すように、電池アダプタ１の前面１０ｄに設けられている。電池パック６の電圧（例えば１４．４Ｖ）が電池アダプタ１内（胴体部１ｃ内）に設けられた不図示の変圧回路にて変圧（降圧）され、その変圧された所望の第１直流電圧（例えば５Ｖ）を出力する出力端子であり、上下に２つ並んで設けられている。具体的にはＵＳＢ出力端子である。なお、前面１０ｄは電池アダプタ１を腰ベルト５１に取り付けた際に下を向くためハウジング１０の下面１０ｄと呼ぶ場合もある。
【００２０】
第２出力部５は、図３に示すように、電池アダプタ１の前面１０ｄに設けられている。電池パック６の電圧が電池アダプタ１内に設けられた不図示の変圧回路にて第１電圧とは異なる電圧に変圧（降圧）され、その変圧された第２直流電圧を出力する出力端子である。具体的には直流１２Ｖ出力端子である。
【００２１】
次に、電池アダプタ１の内部構成について図６及び図７を用いて説明する。電池アダプタ１のハウジング１０は、左右方向に二つに分割された二つ割ハウジング１０Ａ及び１０Ｂで構成されている。一方のハウジング１０Ａには雌ねじが形成された複数のボス部１９が他方のハウジング１０Ｂに向かって突出しており、他方のハウジング１０Ｂ側からねじ４０を雌ねじにねじ込むことでハウジング１０が構成される。複数のボス部１９の一つはフック装着部１２に形成されており、ボス部１９に後述するフック２のストラップ取付穴２６を介して、又は直接ストラップ１８が装着可能になっている。そのため、ストラップ１８の取付部をボス部１９及びストラップ取付穴２６とは別の場所に設ける場合と比較して、構成を簡素化できると共にコンパクト化することができる。
【００２２】
ハウジング１０内には、第１回路基板４１（メイン回路基板）、第２回路基板４２（表示回路基板）等が収容されている。第１回路基板４１の上面には、第１出力部４を構成する２つの出力端子が一体となった第１出力端子４ａ（ＵＳＢ出力端子）と、第２出力部５を構成する第２出力端子５ａ（直流１２Ｖ出力端子）とが搭載されている。第１回路基板２１の下面には、電池パック６の端子と接続される端子部１６が電気的に接続され、端子部１６を覆うように端子ブロック１７がねじ４３で第１回路基板４１に固定される。端子ブロック１７はハウジング１０（１０Ａ及び１０Ｂ）の内部に設けられた不図示のリブ等によりハウジング１０に支持され、第１回路基板４１がハウジング１０内に固定される。
【００２３】
ハウジング１０Ａには第１出力端子４ａを外部に露出させるための開口部４ｂが形成されている。また、ハウジング１０Ｂには第２出力端子５ａを外部に露出させるための開口部５ｂが形成されている。すなわち、第１出力部４は第１出力端子４ａ及び開口部４ｂを含み、第２出力部５は第２出力端子５ａ及び開口部５ｂを含んで構成される。
【００２４】
更に、第１回路基板４１の上面には、ヒューズ台４４、電子部品４５、支持穴４１ａが設けられている。ヒューズ台４４には、第１出力部４又は第２出力部５が過負荷状態になった場合等に放電経路を遮断するための不図示のヒューズが固定される。電子部品４５は電池パック６の電圧を第１出力部４及び第２出力部５に出力する電圧（５Ｖ、１２Ｖ）に変換するための電圧変換回路等から構成されている。支持穴４１ａは左右方向に離れて２つ形成されており、第２回路基板４２と一体に設けられた２つの突起部４２ａが挿入されることで第１回路基板４１上に第２回路基板４２が支持される。
【００２５】
第２回路基板４２には、電源スイッチ部３０を構成する第１スイッチ３０ａ（タクタイルスイッチ）と、電源表示部３１を構成する電源用ＬＥＤ３１ａと、残容量表示部３２を構成する２つの残容量用ＬＥＤ３２ａと、残容量スイッチ部３３を構成する第２スイッチ３３ａ（タクタイルスイッチ）とが設けられている。電源スイッチ部３０の第１スイッチ３０ａを操作する（押す）と、第１回路基板４１及び第２回路基板４２に搭載されている電子部品に電池パック６から電力が供給される。電源用ＬＥＤ３１ａは第１スイッチ３０ａが操作されると点灯し、再度操作されると消灯する。すなわち、電源用ＬＥＤ３１ａの表示状態により電池アダプタ１が動作しているか否かを判断することができる。電池アダプタ１が動作している状態において第２操作スイッチ３３ａを操作することで残容量用ＬＥＤ３２ａの点灯状態により電池パック６の残容量を確認することができる。残容量用ＬＥＤ３２ａは、電池パック６の残容量が大きい場合には２つ点灯し、少ない場合には１つ点灯し、充電が必要な場合には全て消灯する。
【００２６】
操作パネル４７は、ハウジング１０から外部に露出しており（図１で操作表示部３として示した部分）作業者に操作される。介在部材４６は、操作パネル４７と第２回路基板４２との間に介在しており、操作パネル４７の操作を各スイッチ３０ａ及び３３ａに伝達すると共に各ＬＥＤ３１ａ及びＬＥＤ３２ａの光を操作パネル４７に伝達する。すなわち、操作表示部３は、第２回路基板４２、操作パネル４７、及び介在部材４６から構成され、上述した各スイッチ部３０及び３３、各表示部３１及び３２を備えている。介在部材４６はねじ４８により第２回路基板４２に固定される。操作パネル４７は介在部材４６に接着剤等により固定されると共にハウジング１０（１０Ａ及び１０Ｂ）に設けられた不図示のリブ等によりハウジング１０に支持される。それにより、操作表示部３がハウジング１０に固定される。
【００２７】
次に、フック２の構造について図８を用いて説明する。フック２は金属製であり、厚さが例えば１．０ｍｍ程度で長手方向（図４、図８（ａ）の左右方向であり、図４の前後方向）に延びるフック本体２０と、フック本体２０の両端部が内側（電池アダプタ１側）に湾曲して折り返された折り返し部とが一体に形成され、折り返し形状となっている。フック本体２０の前方側は、フック本体２０から後方に向かって折り返された前方連結部２１（第１連結部）と、前方連結部２１に連結され前方連結部２１よりも後方側に位置する先端部２２とが一体的に形成されている。すなわち、先端部２２は前方連結部２１によって後方に折り返されており、先端部２２はフック本体２０と対向している。フック本体２０の後方側も同様に、フック本体２０から前方に向かって折り返された後方連結部２３（第２連結部）と、後方連結部２３に連結され後方連結部２３よりも前方側に位置し、フック装着部１２に固定されるＴ字形状の後端部（固定部）２４とが一体的に形成されている。後端部２４も後方連結部２３によって前方に折り返されており、ハウジング１０を間にして後端部２４とフック本体２０とは対向している。ここで、前方連結部２１はその前方側端部から先端部２２にかけて後方に向かうに従い下方に傾斜している傾斜部２１ａを有する。この傾斜部２１は、後述するように作業者の指の引っ掛け部分として機能する。また、傾斜部２１ａには、後述するように肉抜き穴が形成されておらず、幅方向に亘って傾斜面が形成されている。
【００２８】
フック本体２０には上下に貫通する貫通穴２５が設けられ、金属製フック２の重量を軽くするための肉抜き部となっている。また、後方連結部２３にはストラップ１８が挿入されるストラップ取付穴２６が設けられている。なお、貫通穴２５はフック本体２０のみに設けられており、先端部２２や前方連結部２１には設けられていない。先端部２２は作業者の操作によってハウジング上面１０ｃに対して上下方向に離間及び近接可能な自由端となっている。一方、後端部２４は、後述するフック装着部１２の溝部１２ａに固定されるためハウジング１０に対して移動できない固定端となっている。フック２はハウジング上面１０ｃと共に空間部２７を形成している（図４参照）。また、フック本体２０は後方連結部２３側から前方連結部２１側に向かうに従い、左右方向の幅（図８（ｂ）の上下方向の幅）が細くなる先細り形状である。なお、図８において、（ａ）はフック２の正面図、（ｂ）は上面図、（ｃ）は底面図、（ｄ）は前面図、（ｅ）は後面図である。
【００２９】
フック２をハウジング１０に取り付けた状態において、図９に示すように、フック先端部２２は突起部１３に前後方向に隣接して位置する。すなわち、フック先端部２２は突起部１３よりも前方においてハウジング上面１０ｃに接触している。ハウジング上面１０ｃは前方に向かうに従い下方に傾斜しており、フック本体２０はハウジング上面１０ｃと略平行になっている。空間部２７には、引っ掛け対象となる例えば作業者５０の腰ベルト５１（図１１参照）が、先端部２２がハウジング上面１０から離間したときに生じる隙間Ｓ（図１３参照）から挿入される。
【００３０】
次に、フック装着部１２の構造について図６、図７、図９及び図１０を用いて説明する。フック装着部１２は、フック２の後端部２４が挿入される溝部１２ａ（挿入部）と、ボス部１９が位置しストラップ１８が配置される空間部１２ｂと、フック本体２０の後端部分が対向して位置し、フック本体２０の後端部と同形状に形成された凹部１２ｃと、空間部１２ｂを区画する壁部１２ｄとを備えている。溝部１２ａは、図１０に示すように、フック後端部２４と同じＴ字形状に形成されており、凹部１２ｃと共にフック２がハウジング１０から抜けないように構成されている。フック装着部１２の後端部は電池アダプタ１の後面１０ｆよりも後方に突出している（図４参照）。なお、後面１０ｆは電池アダプタ１を腰ベルト５１に取り付けた際に上を向くためハウジング１０の上面１０ｆと呼ぶ場合もある。
【００３１】
次に、フック２を取り付けた電池アダプタ１の使用状態について図１１〜図１３を用いて説明する。図１１に示すように、電池パック６を装着した状態の電池アダプタ１が、その前方側（第１出力部４及び第２出力部５が設けられている側）を下（地面側）にして作業者５０の腰ベルト５１に取り付けられる。
【００３２】
電池アダプタ１の第１出力部４又は第２出力部５にはコードケーブル５２の一端側が接続され、コードケーブル５２の他端側にはヘッドライト５３が取り付けられている。ヘッドライト５３はヘッドバンド５４によって作業者５０の頭部（ヘルメット５５）に取り付けられている。なお、コードケーブル５２の一端側が第２出力部５に接続された場合には、ヘッドライト５３は第２出力部５から出力される直流１２Ｖで駆動（照射）される。
【００３３】
電池アダプタ１を腰ベルト５１に取り付ける場合には、ハウジング上面１０ｃからフック先端部２２を離間させてできる隙間Ｓ（図１３参照）に腰ベルト５１を通して空間部２７に挿入することで取り付け可能となる。取り付けた状態においては、腰ベルト５１がフック本体２０のハウジング上面１０ｃと対向する面に接触することで電池アダプタ１を安定して取り付けることができる。
【００３４】
電池アダプタ１を腰ベルト５１から外す場合には、図１３に示すように、作業者５０の一方の手５０ａで電池パック６を持ち、他方の手５０ｂで前方連結部２１の傾斜部２１ａを作業者５０側に押す。この操作によってハウジング上面１０ｃとフック先端部２２との間に隙間Ｓができ、電池アダプタ１を腰ベルト５１から外すことができる。なお、他方の手５０ｂでフック２（傾斜部２１ａ）を押さえ、一方の手５０ａで電池パック６を作業者５０と反対側（図中左側）に引っ張るようにしても良い。
【００３５】
ここで、上述した比較対象（従来構成及びその改良構成）と本実施の形態との構成の違いによる利点について説明する。
【００３６】
比較対象の従来構成はフックの先端が外側に反っており、フック先端が本体に対して離れ易い。そのため、腰ベルトへの取り付けは容易に行うことが可能だが、本体にフック側に突出する突起を設けたとしても腰ベルトから電池アダプタが外れ易い構成となっている。一方、比較対象の改良構成のように、フック先端を本実施の形態と同様に、本体側に折り曲げる構成とすれば、本体側に設けた突起とフック先端とにより不意に外れ難くすることができる。しかしながら、本体とフック先端との間に指が入り難いため、電池アダプタを腰ベルトから外し難いものであった。すなわち、これらの比較対象の構成では使い勝手が悪かった。
【００３７】
これに対し、本実施の形態の構成によれば、フック先端部に傾斜部２１ａを設けたため、上述したように、腰ベルト５１に傾斜部２１ａを押し付けるだけで、容易に取り付けることが可能となる。また、フック先端部を折り曲げ形状とすることで、突起部１３と共に電池アダプタ１が腰ベルト５１から不意に外れてしまうことも防止することができる。また、フック先端部をハウジング１０の前面１０ｄから突出させたため、電池アダプタ１を意図的に腰ベルト５１から外し易くすることができる。そのため、比較対象の構成に対して、大幅に使い勝手を向上することができる。
【００３８】
以下、比較対象に対して優れた構成について詳細に説明する。
【００３９】
（１）電池アダプタ１を腰ベルト５１に取り付けるための構成
作業者５０がフック２をハウジング上面１０ｃから離すことで取り付けることも可能だが、傾斜部２１ａを利用することによって容易に取り付け動作を行うことができる。電池アダプタ１を下向きにした状態（表示操作部３が上側、出力部４及び５が下側）において、傾斜部２１ａは先端部２２側から下方に向かうに従いハウジング上面１０ｃから離れるように傾斜している。腰ベルト５１に対して取り付け方向（下方）に傾斜部２１ａを押し付けると、傾斜部２１ａにはハウジング上面１０ｃから離れる向きに押し付け力（分力）が働き、先端部２２がハウジング上面１０ｃから離れて隙間Ｓが生じる。そのため、作業者５０がフック２を操作しなくても、押し付けるだけでフック２を開くことができる。従って、作業者５０がフック２を操作することなく、電池アダプタ１を腰ベルト５１に容易に取り付けることが可能となる。
【００４０】
（２）電池アダプタ１が腰ベルト５１から不意に外れないための構成
本実施の形態では、フック２の先端部分（前方連結部２１及び先端部２２）を折り返し形状としており、フック２の先端部２２をハウジング上面１０ｃに接触させている。更に、ハウジング上面１０ｃの先端部２２よりもフック装着部１２側に突起部１３を設けている。これにより、フック本体２０の内側が腰ベルト５１に接触した状態で上下動しても、フック２の前方連結部２１により腰ベルト５１を空間部２７内に保持させることができる。また、ハウジング上面１０ｃが腰ベルト５１に接触した状態で上下動した場合には、フック２のハウジング上面１０ｃへの押し付け力によってその隙間が生じ難くなっており、それらの接触部分へ腰ベルト５１が入り込み難くしている。更に、突起部１３によってフック先端部２２とハウジング上面１０ｃとの接触部分に腰ベルト５１がより一層入り込み難くしている。従って、空間部２７内の腰ベルト５１が不意に外れることを防止することができる。さらに、フック先端部２２がハウジング上面１０ｃに付勢されるように、フック２はフック取付部１２に取り付けられているため、フック先端部２２とハウジング上面１０ｃとの間に隙間が生じにくい。
【００４１】
（３）電池アダプタ１を腰ベルト５１から外すための構成
本実施の形態では、図４や図９に示すように、フック２の前方連結部２１はハウジング１０の前面１０ｄよりも前方に突出している。言い換えると、ハウジング１０の前面１０ｄは、フック２の前方連結部２１の前方側端部と電池装着部１１の前面１０ｅとを結ぶ直線よりも後方に位置している。そのため、図１３に示すように、前方連結部２１を操作する際にハウジング前面１０ｄ（下面）が邪魔にならず、ハウジング上面１０ｃからフック２の先端部２２を容易に離すことができる。なお、前方連結部２１のハウジング前面１０ｄからの突出量は、傾斜部２１ａに指が引っ掛け易く、且つ作業の邪魔にならない寸法５〜２０ｍｍ程度が好ましい。
【００４２】
また、ハウジング前面１０ｄよりも前方に傾斜部２１ａを有している。そのため、傾斜部２１ａ指を引っ掛け易くすることができる。更に、傾斜部２１ａは前方に向かうに従い上方に傾斜しているため（図４参照）、図１３に示すように、作業者５０が傾斜部２１ａに指を引っ掛けて押すことで、傾斜部２１ａにはハウジング上面１０ｃから離れる向きに押し付け力（分力）が働き、ハウジング上面１０ｃからフック２の先端部２２をより一層容易に離すことができる。従って、腰ベルト５１から電池アダプタ１（フック２）を容易に取り外すことができる。
【００４３】
（４）第１出力部４及び第２出力部５の配置
電池アダプタ１を腰ベルト５１に取り付けた状態において、第１出力部４及び第２出力部５（前面１０ｄ）は下方を向いている。そのため、各出力部にヘッドライト５３等の電気機器等を接続した際に、そのコードケーブル５２の接続部（接続部品）が電池アダプタ１の前面１０ｄ（下面）から外側に出っ張ったとしても作業中に邪魔になることを防止することができる。また、コードケーブルの断線や、接続部品を介して接続された電気機器等が接続部品に当たって破損してしまうことを防止することができる。特に、出力部４及び５をフック前端部（前方連結部２１の前端）と電池装着部１１の前面１０ｅとを結ぶ直線よりも後方に設けることにより、外力から接続部品を保護することができる。
【００４４】
また、ハウジング１０の前面１０ｄがフック２の前方連結部２１の前方側端部と電池装着部１１の前面１０ｅとを結ぶ直線よりも後方側に位置しているため、不意に電池アダプタ１を落としてしまった場合に出力部４及び５を保護することができる。
【００４５】
更に、第１出力部４及び第２出力部５を複数設けることで、ＵＳＢ出力端子で携帯電話を充電しながら残りの出力端子でヘッドライト５３や他の電気機器を駆動することができ、使い勝手を向上することができる。また、出力電圧が異なる複数の出力部を設けることにより種々の電気機器を使用することができる。なお、ヘッドライト５３以外の用途としては、レーザ墨出器の電源アダプタを第２出力部５（第２直流１２Ｖ）に接続して使用することも可能である。この場合、ストラップ１８をレーザ墨出器の三脚に引っ掛けておくこともできる。
【００４６】
（５）操作表示部３の配置
電池アダプタ１を腰ベルト５１に取り付けた状態において、図１２に示すように、操作表示部３が上を向くようになっている。そのため、作業者５０は操作表示部３を目視しながら各スイッチ３０及び３３を操作することが可能となり、各表示部３１及び３２を容易に確認することができると共に、各スイッチの操作性を向上することができる。更に、操作表示部３は電池アダプタ１の後面１０ｆ（上面）に設けられており、フック装着部１２の後端部（或いはフック２の後方連結部２３の後端部）よりも前方（図１２において下方）に位置している。そのため、フック装着部１２（或いは後方連結部２３）によって外力から操作表示部３を保護することができ、不意に操作表示部３が操作されないようにすることができる。
【００４７】
（６）フック２の構造及びフック２の取付構造
電池パック６は複数のセル（本実施の形態では８セル）を内蔵しているため重くなってしまう（例えば２００ｇ〜数ｋｇ）。そのため、電池アダプタ１に電池パック６を装着した状態で腰ベルト５１等に取り付ける場合、樹脂製のフックでは、腰ベルト５１等への着脱を繰り返して劣化してしまうと、電池パック６と電池アダプタ１との重さに耐えられずに破損してしまうことが考えらえる。そのため、強度を確保するために樹脂製のフックの肉厚を厚くすることも考えられるが、フック自体が大きくなって電池アダプタ１から不要に出っ張ってしまうと共に操作性が悪くなってしまう。
【００４８】
そこで、強度を確保しつつ大型化せず、操作性を良くするため、本実施の形態では金属製のフック２を用いている。金属製のフック２により強度を確保し、大型化することも防止できる。一方で、フック本体２０はある程度の幅を有することで腰ベルト５１に安定して取り付けることができるが、その反面、フック２自体の重量が増えてしまい作業者５０への負担の増加を招いてしまう。そこで、金属製のフック本体２０に貫通穴２５（肉抜き部）を設けることで、撓み易くして操作性を良くすることができ、更に、軽量化も可能であると共に材料費を低減することもできる。
【００４９】
また、フック本体２０は先細り形状となっており、根元側（後方連結部２３側）の方が先端側（前方連結部２１側）よりも強度的に強い。そのため、先端側の撓み幅を大きくすることができる。フック本体２０の左右方向の幅を均一にした場合には、後方連結部２３或いは後端部２４に応力が集中してしまい溝部１２ａ等が破損する可能性があったが、本実施の形態によれば、この応力集中を分散させ破損を抑制することができる。
【００５０】
後方折り返し形状の先端部分となる後端部２４をフック装着部１２の溝部１２ａに挿入して固定する構成とした。これにより、例えばフック装着部１２の凹部１２ｃでフック２（本体２０の後端部分）を固定する構成と比較して、後方連結部２３の部分が固定されないため、撓み可能な部分をより一層長い距離（本体２０及び後方連結部２３）とすることができる。そのため、硬い金属製のフック２であっても滑らかに撓ませることができ、腰ベルト５１への着脱を容易にすることができる
前方連結部２１にはフック本体２０のような貫通穴（肉抜き部）が設けられていないため、作業者の指を引っ掛け易くなっており、フック２を操作し易く操作性を向上することができる。なお、比較対象の樹脂製フックと比較した場合、金属製のフック２は、より湾曲幅が小さく硬いため撓み難いが、傾斜部２１ａを設けることでフック本体２０をハウジング１０から離す場合の操作がし易いようにしている。
【００５１】
第１出力部４及び第２出力部５に電気機器を接続した状態で傾斜部２１ａに指を引っ掛けるスペースを確保しつつ操作し易くするため、前方連結部２１を単一の曲面で構成するのではなく曲面と直線の両方で構成している。
【００５２】
上述した実施の形態では、フック２を電池アダプタ１に取り付けた場合を説明したが、フック２は電池アダプタ１以外の機器、例えば電動工具に取り付けることも可能である。
【００５３】
図１４は電動工具としてのインパクトドライバ６０を示している。インパクトドライバ６０は、不図示のモータを収容するモータハウジング６１と、モータハウジング６１から下方に一体的に延び、作業者が把持するハンドル部６２と、ハンドル部６２の端部に設けられ、電池パック６を着脱可能に装着する電池装着部６３とからなるハウジングを備えている。モータハウジング６１とハンドル部６２との接続部分となるハンドル部６２側には、作業者によって操作されてモータの起動及び停止を指示するトリガ６４が設けられている。更に、ハウジングの側面すなわち電池装着部６３の側面には後述するフック７０を取り付けるためのフック装着部６５が設けられている。なお、図中において、モータハウジング６１側を上方、電池パック６側を下方、ハンドル部６２に対してトリガ６４が設けてある側を前方、その反対を後方、フック装着部６５側を右、その反対を左とする。
【００５４】
ここで、フック２は電動工具用とした場合、その一部の形状が異なっている。電動工具用のフックをフック７０として説明する。フック７０は金属製であり、厚さが例えば１．０ｍｍ程度のフック本体７１と、フック本体７１の上下両端部が内側（電動工具側）に湾曲して折り返された折り返し部とが一体に形成され、折り返し形状となっている。上側端部は、フック本体７１から下方に向かって折り返された上側連結部７２と、上側連結部７２に連結され上側連結部７２よりも下側に位置する先端部７３とが一体的に形成されている。上側連結部７２は先端部７３に向かうに従い電動工具側に傾斜する傾斜部７２ａを有する。下側端部も同様に、フック本体７１から上方に向かって折り返された下側連結部７４と、下側連結部７４に連結され下側連結部７４よりも上側に位置し、フック装着部６５に固定される後端部（固定部）７５とが一体的に形成されている。
【００５５】
後端部７５は、フック２の後端部２４より上下方向に長く形成されており、その先端にフック本体７１の反対側（フック装着部６５側）に曲がって突出する突出部７６が設けられている。また、フック本体７１には本体７１を左右に貫通する貫通穴７７（肉抜き部）が設けられると共に、下側連結部７４から後端部７５に亘って貫通穴７８（肉抜き部）が設けられている。先端部７３側は自由端となっており、電動工具６０に対して左右方向に移動可能（電動工具６０に対して離間及び近接可能）となっている。また、後端部７５にはねじ８０が貫通するねじ穴７９が設けられている。
【００５６】
フック装着部６５は、外側（フック７０側）に突出する突起部６６と、フック７０が取り付けられた際に先端部７３と接触する接触部６７と、フック７０の突出部７６が挿入される挿入部６８と、フック７０を取り付ける際にねじ８０が螺合するねじ穴６９とを備えている。
【００５７】
フック７０は、フック７０の突出部７６を挿入部６８に挿入し、ねじ８０をフック７０のねじ穴７９を介してねじ穴６９に螺合することで、フック装着部６５に取り付けることができる。この構成により、ねじ８０を中心としてフック７０が回転することを防止することができる。また、先端部７３は接触部６７に接触すると共に、突起部６６の先端部分は左右方向において先端部７３よりも右側すなわちフック本体７１側に位置する。上側連結部７２（傾斜部７２ａ）は電池装着部７３の上面７３ａよりも上方に位置している。また、傾斜部７２ａには肉抜き部が形成されていない。これらの構成により上述したフック２と同じ効果を得ることができる。
【００５８】
以上、本発明を実施の形態に基づいて説明したが、本発明は上述の実施の形態に限定されるものではなく、その趣旨を逸脱しない範囲内で種々の変更が可能である。例えば、フックは電池アダプタ、インパクトドライバやドライバドリル等の電動工具に取り付けられるだけでなく、作業箇所に光を照射するためのライトやランタン、ファン等の電気機器に取り付けても良い。また、フックの形状は前方連結部に傾斜部を設けたが、フックに指が引っ掛け易い構成であれば、傾斜部を設けず前方連結部の前端部が本体から突出するのみでも良い。また、フックの強度を上げるためにフック本体に貫通穴（肉抜き部）を設けなくても良い。また、フック先端部はハウジング上面に接触するようにしたが、ハウジングに接触しない構成、或いはハウジングの前面に接触するように構成しても良い。
【００５９】
また、電池アダプタの出力部は腰ベルトに装着した際に下側に設ける必要はなく、側面であっても良い。操作表示部も視認性を考慮しないのであれば側面に設けても良い。
【符号の説明】
【００６０】
１は電池アダプタ、１０はハウジング、１１は電池装着部、１２はフック取付部、１３は突起部、２はフック、２０はフック本体、２１は前方連結部、２２は先端部、２３は後方連結部、２４は後端部、２５は貫通穴（肉抜き部）、３は操作表示部、３０は電源スイッチ部、３１は電源表示部、３２は残容量表示部、３３は残容量スイッチ部、４は第１出力部、５は第２出力部、５０は作業者、５１は腰ベルト、６は電池パック、６０は電動工具、７０はフックである。
【図１】
2016157783.tif 000003
【図２】
2016157783.tif 000004
【図３】
2016157783.tif 000005
【図４】
2016157783.tif 000006
【図５】
2016157783.tif 000007
【図６】
2016157783.tif 000008
【図７】
2016157783.tif 000009
【図８】
2016157783.tif 000010
【図９】
2016157783.tif 000011
【図１０】
2016157783.tif 000012
【図１１】
2016157783.tif 000013
【図１２】
2016157783.tif 000014
【図１３】
2016157783.tif 000015
【図１４】
2016157783.tif 000016
【図１５】
2016157783.tif 000017